【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
水をケイ素化合物、ケイ素化合物と同種の組成物及び／またはその酸化物と接触させることを特徴とする光化学的及び熱化学的な酸素及び／または水素の製造方法。
【請求項２】
前記ケイ素化合物、ケイ素化合物と同種の組成物及び／またはその酸化物が、
式：RSixOy
（式中、Rは有機の、金属の、有機金属の、生化学由来の及び／または無機の残基であり、Siはケイ素であり、特にxは１以上、Oは酸素であり、yは０以上であり、Rはリチウム、ベリリウム、ナトリウム、カリウム、カルシウム、銅、亜鉛、ロジウム、スカンジウム、ルビジウム、ガリウム、セレン、パラジウム、カドミウム、鉛、オスミウム、アンチモン、イリジウム、タングステン、スズ、ストロンチウム、バリウム、チタニウム、ニッケル、鉄、タリウム、ホウ素、コバルト、白金、マンガン、チタニウム、ケイ素、炭素、ナノチューブ状の炭素、イリジウム、モリブデン、窒素、ジルコニウム、タンタル、バナジウム、クロム、銀、金、ランタニド、アクチニド、有機残基、生化学由来の残基及びこれらRの混合物であって、部分的酸化状態、完全な酸化状態及び非酸化状態の前記Rからなる群から選択された少なくとも１つであり、前記ケイ素化合物、ケイ素化合物と同種の組成物の集合体を、以下、ケイ素化合物、ケイ素化合物と同種の組成物及び／またはその酸化物と呼称する）
の金属シリサイドまたは非金属シリサイドから選択されることを特徴とする請求項１に記載の光化学的及び熱化学的な酸素及び／または水素の製造方法。
【請求項３】
前記ケイ素化合物、ケイ素化合物と同種の組成物及び／またはその酸化物が、親ケイ素原子と比較して電子密度が高いケイ素原子を少なくとも１つ有することを特徴とする請求項１または２に記載の光化学的及び熱化学的な酸素及び／または水素の製造方法。
【請求項４】
前記ケイ素化合物、ケイ素化合物と同種の組成物及び／またはその酸化物が、触媒的に用いられることを特徴とする請求項１ないし３のいずれか１項に記載の光化学的及び熱化学的な酸素及び／または水素の製造方法。
【請求項５】
光を用いまたは光を用いずに行われることを特徴とする請求項１ないし４のいずれか１項に記載の光化学的及び熱化学的な酸素及び／または水素の製造方法。
【請求項６】
前記ケイ素化合物、ケイ素化合物と同種の組成物及び／またはその酸化物の存在下、前記水から前記水素及び／または酸素を生成させる光化学的反応が、集中した形態または拡散した形態の人口光及び／または太陽光でおこなわれることを特徴とする請求項１ないし５のいずれか１項に記載の光化学的及び熱化学的な酸素及び／または水素の製造方法。
【請求項７】
前記光及び／または熱のエネルギー源が、２００〜２００００nmの領域でエネルギーを放出することを特徴とする請求項６に記載の光化学的及び熱化学的な酸素及び／または水素の製造方法。
【請求項８】
前記ケイ素化合物、ケイ素化合物と同種の組成物及び／またはその酸化物の光吸収が、染料または染料の凝集物にカップリング／複合／付着／結合されることで高められることを特徴とする請求項６または７に記載の光化学的及び熱化学的な酸素及び／または水素の製造方法。
【請求項９】
前記染料として、ペリレンまたはペリレン類似体が使用されることを特徴とする請求項８に記載の光化学的及び熱化学的な酸素及び／または水素の製造方法。
【請求項１０】
高温状態でおこなわれることを特徴とする請求項１ないし９のいずれか１項に記載の光化学的及び熱化学的な酸素及び／または水素の製造方法。
【請求項１１】
前記ケイ素化合物、ケイ素化合物と同種の組成物及び／またはその酸化物の存在下における、前記水からの前記水素及び／または酸素の熱化学的な生成は、光化学的光源、人口光の光源及び太陽光の光源由来の熱エネルギー、電気炉、マイクロ波システム及び地熱エネルギーといった熱エネルギー製造装置並びに他のエネルギー源からなる群から選択された少なくとも１つのエネルギー源によりおこなわれることを特徴とする請求項１ないし１０のいずれか１項に記載の熱化学的な酸素及び／または水素の製造方法。
【請求項１２】
前記水素及び／または酸素の貯蔵／吸収及び／または放出／脱離が、前記ケイ素化合物、ケイ素化合物と同種の組成物及び／またはその酸化物でおこなわれることを特徴とする請求項１ないし１１のいずれか１項に記載の光化学的及び熱化学的な酸素及び／または水素の製造方法。
【請求項１３】
前記酸素の貯蔵／吸収が、前記水素の貯蔵／吸収に付随して生じ、その比率は可変であることを特徴とする請求項１２に記載の光化学的及び熱化学的な酸素及び／または水素の製造方法。
【請求項１４】
前記水素の放出／脱離が、前記酸素の放出／脱離に付随して生じ、その比率は可変であることを特徴とする請求項１２に記載の光化学的及び熱化学的な酸素及び／または水素の製造方法。
【請求項１５】
前記ケイ素化合物、ケイ素化合物と同種の組成物及び／またはその酸化物を使用した前記水素及び／または酸素の貯蔵／放出及び／または吸収／脱離が、前記ケイ素化合物、ケイ素化合物と同種の組成物及び／またはその酸化物の前記水との接触を中断または中止させたときに、活性化されることを特徴とする請求項１２に記載の光化学的及び熱化学的な酸素及び／または水素の製造方法。
【請求項１６】
１種の前記ケイ素化合物、ケイ素化合物と同種の組成物及び／若しくはその酸化物、または２種以上の前記ケイ素化合物、ケイ素化合物と同種の組成物及び／若しくはその酸化物に、二酸化ルテニウム（RuO2）、二酸化マンガン（MnO2）、三酸化タングステン(WO3)、その他の半導体材料といった非ケイ素化物構造の半導体材料を添加して、反応性を高めることを特徴とする請求項１ないし１５のいずれか１項に記載の光化学的及び熱化学的な酸素及び／または水素の製造方法。
【請求項１７】
前記ケイ素化合物、ケイ素化合物と同種の組成物及び／またはその酸化物が、固定された状態、つまり、前記材料が、特に、高分子材料及び／またはガラス状材料が導電性／電子導電性／電荷伝導性のときに、ポリアミド、マクロロン、プレキシガラスといった前記高分子材料または前記ガラス若しくはガラス様材料の表面に付着／固定、または前記高分子材料または前記ガラス若しくはガラス様材料に内在させて使用されることを特徴とする請求項１ないし１６のいずれか１項に記載の光化学的及び熱化学的な酸素及び／または水素の製造方法。
【請求項１８】
前記ケイ素化合物、ケイ素化合物と同種の組成物及び／またはその酸化物が、特に、高分子材料及び／またはガラス状材料が導電性／電子導電性／電荷伝導性のときに、ポリアミド、マクロロン、プレキシガラスといった前記高分子材料または前記ガラス若しくはガラス様材料で表面をコーティングした後に使用されることを特徴とする請求項１ないし１７のいずれか１項に記載の光化学的及び熱化学的な酸素及び／または水素の製造方法。
【請求項１９】
前記ケイ素化合物、ケイ素化合物と同種の組成物及び／またはその酸化物が、リチウム、ベリリウム、ナトリウム、カリウム、カルシウム、銅、亜鉛、ロジウム、スカンジウム、ルビジウム、ガリウム、セレン、パラジウム、カドミウム、鉛、オスミウム、アンチモン、イリジウム、タングステン、スズ、ストロンチウム、バリウム、チタニウム、ニッケル、鉄、タリウム、ホウ素、コバルト、白金、マンガン、チタニウム、ケイ素、炭素、ナノチューブ状の炭素、イリジウム、モリブデン、窒素、ジルコニウム、タンタル、バナジウム、クロム、銀、金、ランタニド、アクチニド、並びに有機残基、生化学由来の残基及びこれらの混合物であって、イオン及びラジカルとして帯電した状態でも存在できる残基からなる群から選択された少なくとも１つを含有した金属及び／または非金属の組成物を、接触、ドープ及び／または混合して使用されることを特徴とする請求項１ないし１８のいずれか１項に記載の光化学的及び熱化学的な酸素及び／または水素の製造方法。
【請求項２０】
０〜１００％の酸化の程度を有する前記ケイ素化合物及びケイ素化合物と同種の組成物の酸化物形成が、温度といった反応条件、空気及び／または他のガスの存在、反応媒体のｐH、反応媒体の攪拌、振とう、ポンピング、移動、静置といった物理的条件、並びに他の物理的、化学的及び／または生化学的手段により、酸化物形成のスピードをコントロールできる他の酸化剤の必要に応じた存在下にて、水中、含水媒体中及び／または酸素含有媒体中でおこなわれることを特徴とする請求項１ないし１９のいずれか１項に記載の光化学的及び熱化学的な酸素及び／または水素の製造方法。
【請求項２１】
前記ケイ素化合物、ケイ素化合物と同種の組成物及び／またはその酸化物が、溶液中、懸濁液中、固体中、液体中またはその他の態様中にて、あらゆる比率で、完全に若しくはある程度酸化された形態または酸化されていない形態で、前記各元素、その酸化物及び／または前記各元素の他の誘導体と接触させて調製されることを特徴とする請求項１ないし２０のいずれか１項に記載の光化学的及び熱化学的な酸素及び／または水素の製造方法。
【請求項２２】
前記酸素が、On（ｎ＞３）であるポリ酸素及び／またはH2On（ｎ＞２）であるポリ過酸化水素に変化し、前記ポリ酸素及び前記ポリ過酸化水素が、溶媒中、並びに／または金属内、金属上、金属酸化物内及び／若しくは金属酸化物上にて安定していることを特徴とする請求項１ないし２１のいずれか１項に記載の光化学的及び熱化学的な酸素及び／または水素の製造方法。
【請求項２３】
前記On（ｎ＞３）であるポリ酸素及び／または前記H2On（ｎ＞２）であるポリ過酸化水素が、エネルギー放出によって前記酸素に変化することを特徴とする請求項１ないし２２のいずれか１項に記載の光化学的及び熱化学的な酸素及び／または水素の製造方法。
【請求項２４】
前記水から前記水素及び／または酸素を生成／製造する工程と該水素及び／または酸素を貯蔵／放出及び／または吸収／脱離させる工程とが、一般的な工程内に組み込まれて、前記ケイ素化合物、ケイ素化合物と同種の組成物及び／またはその酸化物が、通則の一部として使用されることを特徴とする請求項１ないし２３のいずれか１項に記載の光化学的及び熱化学的な酸素及び／または水素の製造方法。
【請求項２５】
前記水素及び／または酸素の生成／製造及び／または吸収／脱離を用いることで、加熱装置、燃料電池または他の電力及びエネルギー依存技術に用いられる電力を生成させてエネルギーを供給し、前記エネルギーが、生活、ビジネス及び健康を含む人間に有益な機器だけでなく、地球上及び地球外における交通用構造物及び機器並びに静的構造物及び機器に用いられることを特徴とする請求項１ないし２４のいずれか１項に記載の光化学的及び熱化学的な酸素及び／または水素の製造方法。
【請求項２６】
化石燃料を使用した機器により駆動される構造物及び機器を動かすためのエネルギーが、代替、支援及び／または補完されることを特徴とする請求項２５に記載の光化学的及び熱化学的な酸素及び／または水素の製造方法。